(57)【要約】【課題】画像が表示されるまでの時間を長くすることなく、乱れた画像が表示されることを回避する。【解決手段】制御部１４３は、ＨＤＭＩ受信部１４５における映像信号（画像データ）の受信時に、表示処理部１４９を制御し、内蔵メモリ１４３ａに保持されている基準時間ＴＳが経過してから出画オンの状態とする。制御部１４３は、映像信号の受信に関連して、表示画像に影響を与えるタイミング情報、例えば、画像データの受信が開始された時点から画像データの途切れタイミングまでの時間情報等を取得する。制御部１４３は、そのタイミング情報に基づいて、内蔵メモリ１４３ａの基準時間ＴＳを調整する。例えば、制御部１４３は、基準時間ＴＳを、例えば、タイミング情報として取得された各時間情報が表す時間のうち最も長い時間より一定時間だけ長い時間に更新する。制御部１４３は、このように更新された基準時間ＴＳを、次回の受信時に使用する。【選択図】図３
2009077192.tif 000002
【特許請求の範囲】
【請求項１】
伝送路を介して送られてくる映像信号を受信する信号受信部と、
上記信号受信部で受信された映像信号を処理して画像を表示する画像表示部と、
上記信号受信部における上記映像信号の受信に関連して上記画像表示部で表示される画像に影響を与えるタイミング情報を取得するタイミング情報取得部と、
上記タイミング情報取得部で取得されたタイミング情報に基づいて、上記信号受信部で映像信号が受信されてから上記画像表示部で画像表示を開始するまでの時間の基準となる基準時間を調整する基準時間調整部と、
上記基準時間調整部で調整された基準時間に基づいて上記画像表示部における画像表示の開始タイミングを制御する表示制御部と
を備えることを特徴とする受信装置。
【請求項２】
上記信号受信部は、複数チャネルで、差動信号により、上記伝送路を介して送られてくる映像信号を受信する
ことを特徴とする請求項１に記載の受信装置。
【請求項３】
上記基準時間調整部は、上記タイミング情報取得部で取得されたタイミング情報に基づいて新たな基準時間を生成し、該新たな基準時間を参照して記憶部に保持されている基準時間を更新し、
上記表示制御部は、上記記憶部に保持されている基準時間に基づいて、上記画像表示部における画像表示の開始タイミングを制御する
ことを特徴とする請求項１に記載の受信装置。
【請求項４】
上記基準時間調整部は、
上記記憶部に保持されている基準時間を上記新たな基準時間に置き換える
ことを特徴とする請求項３に記載の受信装置。
【請求項５】
上記基準時間調整部は、
上記新たな基準時間が上記記憶部に保持されている基準時間より大きいとき、上記記憶部に保持されている基準時間を上記新たな基準時間に置き換える
ことを特徴とする請求項３に記載の受信装置。
【請求項６】
上記基準時間調整部は、
上記新たな基準時間が上記記憶部に記憶されている基準時間に対して一定時間以内にないとき、上記記憶部に保持されている基準時間を上記新たな基準時間に置き換える
ことを特徴とする請求項３に記載の受信装置。
【請求項７】
上記基準時間調整部は、
上記新たな基準時間をグループ分けし、上記記憶部に記憶されている基準時間を、該新たな基準時間が含まれるグループの上限値に置き換える
ことを特徴とする請求項３に記載の受信装置。
【請求項８】
上記基準時間調整部は、上記グループ分けを行う際に、
上記新たな基準時間が既存のグループの上限値および下限値で規定される範囲から一定時間以内にあるとき、該新たな基準時間は上記既存のグループを構成するものとし、
上記新たな基準時間が既存のグループの上限値および下限値で規定される範囲から一定時間以内にないとき、該新たな基準時間は上記既存のグループとは異なる新たなグループを構成するものとする
ことを特徴とする請求項７に記載の受信装置。
【請求項９】
ユーザが第１の出画モードまたは第２の出画モードを選択するためのユーザ操作部をさらに備え、
上記表示制御部は、
上記ユーザ操作部により上記第１の出画モードが選択されるとき、上記基準時間調整部で調整された基準時間に基づいて、上記画像表示部における画像表示の開始タイミングを制御し、
上記ユーザ操作部により上記第２の出画モードが選択されるとき、固定の基準時間に基づいて、上記画像表示部における画像表示の開始タイミングを制御する
ことを特徴とする請求項１に記載の受信装置。
【請求項１０】
上記信号受信部で受信された映像信号に含まれる解像度情報に基づいてフォーマット確定状態にあるか否かを判定するフォーマット確定判定部をさらに備え、
上記表示制御部は、上記基準時間調整部で調整された基準時間および上記フォーマット確定判定部の判定出力に基づいて、上記画像表示部における画像表示の開始タイミングを制御する
ことを特徴とする請求項１に記載の受信装置。
【請求項１１】
伝送路を介して送られてくる映像信号を受信する信号受信部と、
上記信号受信部で受信された映像信号を処理して画像を表示する画像表示部とを備える受信装置の出画制御方法であって、
上記信号受信部における上記映像信号の受信に関連して上記画像表示部で表示される画像に影響を与えるタイミング情報を取得するタイミング情報取得ステップと、  
上記タイミング情報取得ステップで取得されたタイミング情報に基づいて、上記信号受信部で映像信号が受信されてから上記画像表示部で画像表示を開始するまでの時間の基準となる基準時間を調整する基準時間調整ステップと、
上記基準時間調整ステップで調整された基準時間に基づいて上記画像表示部における画像表示の開始タイミングを制御する表示制御ステップと
を備えることを特徴とする受信装置の出画制御方法。
【発明の詳細な説明】
【技術分野】
【０００１】
この発明は、受信装置および受信装置の出画制御方法に関する。詳しくは、この発明は、映像信号の受信に関連して取得される画像表示に影響を与えるタイミング情報に基づいて、映像信号が受信されてから画像表示を開始するまでの時間の基準となる基準時間を調整し、この基準時間に基づいて画像表示の開始タイミングを制御することにより、画像が表示されるまでの時間をあまり長くすることなく、乱れた画像が表示されることを良好に回避できるようにした受信装置等に係るものである。
【背景技術】
【０００２】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、非圧縮（ベースバンド）の映像信号（以下、「画像データ」という）と、その映像信号に付随するデジタル音声信号（以下、「音声データ」という）とを、高速に伝送する通信インタフェースとして、ＨＤＭＩ(High Definition Multimedia Interface)が普及しつつある（例えば、特許文献１参照）。
【特許文献１】特開２００６−３１９５０３号公報
【発明の開示】
【発明が解決しようとする課題】
【０００３】
上述のディスプレイにおいてＡＶソースから送られてくる映像信号を受信し、この映像信号による画像を表示する際、ＡＶソース側の都合によるＨＤＣＰ(High-bandwidth Digital Content Protection system)の認証タイミング、解像度切り換え等により、当該映像信号が途切れたり乱れたりする。この場合、ディスプレイに表示される画像は、乱れたものとなる。
【０００４】
そこで、従来、例えば、水平、垂直の解像度が安定し、フォーマットが確定した後に、出画（画像表示）を開始することが行われている。図１６は、信号タイミングの一例を示している。
【０００５】
図１６（ｂ）は映像信号の受信状態を示し、映像信号が受信されている期間に斜線を付して示している。この場合、ディスプレイは、同期信号（水平同期信号、垂直同期信号）が検出されるとき、映像信号が受信されていると判断する。
【０００６】
図１６（ｃ）は解像度の安定状態を示し、解像度が安定している期間に斜線を付している。この場合、ディスプレイは、解像度が安定した状態において、水平同期信号をカウントして水平解像度を認識し、同様に、垂直同期信号をカウントして垂直解像度を認識し、フォーマットを確定する。
【０００７】
図１６（ｄ）は、ＨＤＣＰの認証状態を示し、認証後の期間に斜線を付して示している。この場合、ディスプレイは、ＤＤＣ(Display Data Channel)を通して認証開始を認識する。図１６(ｅ)は、カラースペース（色空間）の検出状態を示し、検出されている期間に斜線を付して示している。この場合、ディスプレイは、カラースペース情報を、映像信号のブランキング期間に挿入されたＡＶＩ(Auxiliary Video Information)InfoFrameから検出する。
【０００８】
図１６（ａ）はディスプレイの出画状態を示している。ディスプレイでは、時点ｔ１でフォーマットが確定してから時点ｔ２で映像信号の受信が途切れるまで、画像が表示される。この場合、受信映像信号はＨＤＣＰ認証前のものであり、その解像度が、設定解像度とは異なる場合もある。例えば、図示のように、受信映像信号の解像度が４８０ｐであって、ＨＤＣＰ認証に係る設定解像度が１０８０ｉである場合等である。このように受信解像度が設定解像度と異なる場合、表示される画像は乱れたものとなる。
【０００９】
また、ディスプレイでは、ＨＤＣＰ認証後に、受信映像信号の解像度が設定解像度に切り替わり、時点ｔ３でフォーマットが確定すると、画像が表示される。その後、時点ｔ４でカラースペースの変化が起こると、信号切り換えが発生し、表示された画像が一時的に乱れたものとなる。
【００１０】
上述したように、水平、垂直の解像度が安定し、フォーマットが確定した後に、出画（画像表示）を開始するものにあっても、乱れた画像が表示されるという問題があった。
【００１１】
この発明の目的は、画像が表示されるまでの時間をあまり長くすることなく、乱れた画像が表示されることを良好に回避する、ことにある。
【課題を解決するための手段】
【００１２】
この発明の概念は、
伝送路を介して送られてくる映像信号を受信する信号受信部と、
上記信号受信部で受信された映像信号を処理して画像を表示する画像表示部と、
上記信号受信部における上記映像信号の受信に関連して上記画像表示部で表示される画像に影響を与えるタイミング情報を取得するタイミング情報取得部と、
上記タイミング情報取得部で取得されたタイミング情報に基づいて、上記信号受信部で映像信号が受信されてから上記画像表示部で画像表示を開始するまでの時間の基準となる基準時間を調整する基準時間調整部と、
上記基準時間調整部で調整された基準時間に基づいて上記画像表示部における画像表示の開始タイミングを制御する表示制御部と
を備えることを特徴とする受信装置にある。
【００１３】
この発明においては、信号受信部により、伝送路を介して送られてくる映像信号が受信される。そして、画像表示部により、受信された映像信号が処理されて画像が表示される。この発明の受信装置は、例えば、映像信号を送信する、ＤＶＤレコーダ、セットトップボックス、その他のＡＶソースに、ＨＤＭＩの通信インタフェースを用いて接続される。すなわち、信号受信部では、ＡＶソースから、複数チャネルで、差動信号により、伝送路を介して送られてくる映像信号が受信される。
【００１４】
タイミング情報取得部により、信号受信部における映像信号の受信に関連して、画像表示部で表示される画像に影響を与えるタイミング情報が取得される。例えば、タイミング情報は、映像信号の途切れタイミングの情報、フォーマット確定のタイミング情報、ＨＤＣＰの認証タイミングの情報、カラースペースの変化タイミングの情報などである。
【００１５】
基準時間調整部により、タイミング情報取得部で取得されたタイミング情報に基づいて、信号受信部で映像信号が受信されてから画像表示部で画像表示を開始するまでの時間の基準となる基準時間が調整される。そして、表示制御部により、基準時間調整部で調整された基準時間に基づいて画像表示部における画像表示の開始タイミングが制御される。
【００１６】
例えば、基準時間調整部では、タイミング情報取得部で取得されたタイミング情報に基づいて新たな基準時間が生成され、この新たな基準時間を参照して記憶部に保持されている基準時間が更新される。そして、表示制御部では、記憶部に保持されている基準時間に基づいて、画像表示部における画像表示の開始タイミングが制御される。
【００１７】
このように、この発明においては、映像信号の受信に関連して取得される画像表示に影響を与えるタイミング情報に基づいて、映像信号が受信されてから画像表示を開始するまでの時間の基準となる基準時間が調整され、この基準時間に基づいて画像表示の開始タイミングが制御されるため、画像が表示されるまでの時間をあまり長くすることなく、乱れた画像が表示されることを良好に回避できる。
【００１８】
また、この発明において、例えば、ユーザが第１の出画モードまたは第２の出画モードを選択するためのユーザ操作部をさらに備え、表示制御部は、ユーザ操作部により第１の出画モードが選択されるとき、基準時間調整部で調整された基準時間に基づいて、画像表示部における画像表示の開始タイミングを制御し、ユーザ操作部により第２の出画モードが選択されるとき、固定の基準時間に基づいて、画像表示部における画像表示の開始タイミングを制御する、ようにされてもよい。
【００１９】
この場合、ユーザ操作部により第１の出画モードが選択されるとき、基準時間調整部で調整された基準時間に基づいて、画像表示部における画像表示の開始タイミングが制御されるため、上述したように、画像が表示されるまでの時間をあまり長くすることなく、乱れた画像が表示されることを良好に回避できる。一方、ユーザ操作部により第２の出画モードが選択されるとき、固定の基準時間に基づいて、画像表示部における画像表示の開始タイミングが制御されるため、例えば、固定の基準時間を短く設定することで、乱れた画像が表示されるおそれはあるが、映像信号が受信されてから画像が表示されるまでの時間を短くできる。
【００２０】
また、この発明において、例えば、信号受信部で受信された映像信号に含まれる解像度情報に基づいてフォーマット確定状態にあるか否かを判定するフォーマット確定判定部をさらに備え、表示制御部は、基準時間調整部で調整された基準時間およびフォーマット確定判定部の判定出力に基づいて、画像表示部における画像表示の開始タイミングを制御する、ようにされてもよい。この場合、基準時間調整部で調整された基準時間が経過しても、フォーマットが確定状態にない場合、フォーマットが確定するまで画像が表示されないので、乱れた画像が表示されることを抑制できる。
【発明の効果】
【００２１】
この発明によれば、映像信号の受信に関連して取得される画像表示に影響を与えるタイミング情報に基づいて、映像信号が受信されてから画像表示を開始するまでの時間の基準となる基準時間を調整し、この基準時間に基づいて画像表示の開始タイミングを制御するものであり、画像が表示されるまでの時間をあまり長くすることなく、乱れた画像が表示されることを良好に回避できる。
【発明を実施するための最良の形態】
【００２２】
以下、図面を参照しながら、この発明の実施の形態について説明する。図１は、実施の形態としてのＡＶ(Audio Visual)システム１００の構成例を示している。
【００２３】
このＡＶシステム１００は、ＤＶＤ(Digital Versatile Disc)レコーダ１２０と、テレビ受信機１４０とを有している。ＤＶＤレコーダ１２０は、ＨＤＭＩのソース機器を構成している。テレビ受信機１４０は、ＨＤＭＩのシンク機器を構成している。
【００２４】
ＤＶＤレコーダ１２０およびテレビ受信機１４０は、ＨＤＭＩケーブル２１０を介して接続されている。すなわち、ＨＤＭＩケーブル２１０の一端はＤＶＤレコーダ１２０が備えるＨＤＭＩ端子１２１に接続され、その他端はテレビ受信機１４０が備えるＨＤＭＩ端子１４１に接続されている。
【００２５】
図２は、ＤＶＤレコーダ１２０の構成例を示している。ＤＶＤレコーダ１２０は、ＨＤＭＩ端子１２１と、制御部１２２と、ユーザ操作部１２３と、表示部１２４と、コーデック１２５と、外部装置を接続するための端子１２６と、記録再生部１２７と、ＨＤＭＩ送信部（ＨＤＭＩソース）１２９とを有している。
【００２６】
制御部１２２は、ＤＶＤレコーダ１２０の各部の動作を制御する。ユーザ操作部１２３および表示部１２４は、ユーザインタフェースを構成し、制御部１２２に接続されている。ユーザ操作部１２３は、ＤＶＤレコーダ１２０の図示しない筐体に配置されたキー、釦、ダイアル、あるいは表示部１２４の表示面に配置されたタッチパネル等で構成される。表示部１２４は、ＬＣＤ(Liquid Crystal Display)等で構成される。
【００２７】
記録再生部１２７は、コーデック１２５から供給される、画像データ（映像信号）、およびこの画像データに付随する音声データ（音声信号）を、例えば、ＭＰＥＧ(Moving Picture Experts Group)方式等でエンコードして得られるエンコードデータを、ＤＶＤ１２８に記録する。また、記録再生部１２７は、ＤＶＤ１２８からエンコードデータを再生し（読み出し）、コーデック１２５に供給する。
【００２８】
コーデック１２５は、記録再生部１２７から供給されるエンコードデータを、ベースバンド（非圧縮）の画像と音声のデータにＭＰＥＧ方式等でデコードし、当該ベースバンドの画像と音声のデータを、ＨＤＭＩ送信部（ＨＤＭＩソース）１２９に供給すると共に、端子１２６に出力する。また、コーデック１２５は、図示しない外部装置から端子１２６に入力されるベースバンドの画像と音声のデータを、エンコードデータにエンコードし、当該エンコードデータを、記録再生部１２７に供給する。ここで、外部装置は、ＨＤレコーダ、パーソナルコンピュータ、ＤＶＤレコーダ、ビデオカメラ等である。
【００２９】
ＨＤＭＩ送信部１２９はＨＤＭＩ端子１２１に接続されている。このＨＤＭＩ送信部１２９は、ＨＤＭＩに準拠した通信により、コーデック１２５から供給されるベースバンドの画像と音声のデータを、ＨＤＭＩ端子１２１から、ＨＤＭＩケーブルに２１０を介して、テレビ受信機１４０に、一方向に送信する。このＨＤＭＩ送信部１２９の詳細については後述する。
【００３０】
図３は、テレビ受信機１４０の構成例を示している。このテレビ受信機１４０は、ＨＤＭＩ端子１４１と、フラッシュＲＯＭ１４２と、制御部１４３と、ユーザ操作部１４４と、ＨＤＭＩ受信部（ＨＤＭＩシンク）１４５と、チューナ１４６と、アンテナ端子１４７と、切り替え器１４８と、表示処理部１４９と、表示パネル１５０と、プルアップ抵抗１５１とを有している。
【００３１】
制御部１４３は、テレビ受信機１４０の各部の動作を制御する。ユーザ操作部１４４は、ユーザインタフェースを構成し、制御部１４３に接続されている。ユーザ操作部１４４は、テレビ受信機１４０の図示しない筐体に配置されたキー、釦、ダイアル、あるいはリモコン等で構成される。フラッシュＲＯＭ１４２は、ＥＤＩＤ情報等を記憶するものであり、制御部１４３に接続されている。
【００３２】
ＨＤＭＩ受信部１４５は、ＨＤＭＩ端子１４１に接続されている。このＨＤＭＩ受信部１４５は、ＨＤＭＩに準拠した通信により、ＨＤＭＩケーブル２１０を介して接続されているＤＶＤレコーダ１２０のＨＤＭＩ送信部１２９から一方向に送信されてくるベースバンドの画像と音声のデータを受信する。ＨＤＭＩ受信部１４５は、受信した画像データを切り替え器１４８に供給する。なお、ＨＤＭＩ受信部１４５が受信した音声のデータは、音声データ用の切り替え器に供給される。このＨＤＭＩ受信部１４５の詳細については後述する。
【００３３】
チューナ１４６は、ＢＳ放送、地上波デジタル放送等を受信する。このチューナ１４６には、アンテナ端子１４７に接続された図示しないアンテナで捕らえられた放送信号が供給される。このチューナ１４６は、放送信号に基づいて、所定の番組の画像データ（映像信号）および音声データを取得する。切り替え器１４８は、ＨＤＭＩ受信部１４５で受信された画像データまたはチューナ１４６で取得された画像データを選択的に取り出す。
【００３４】
表示処理部１４９は、切り替え器１４８で取り出された画像データに対して、色調整、輪郭強調、グラフィックスデータの重畳等の処理を行う。表示パネル１５０は、表示処理部１４９で処理された画像データによる画像を表示する。表示パネル１５０は、例えば、ＬＣＤ(Liquid Crystal Display)、有機ＥＬ(ElectroLuminescence)、ＰＤＰ(Plasma Display Panel)等で構成される。
【００３５】
後述するように、ＨＤＭＩ端子１６１の１９ピンはＨＰＤ(Hot Plug Detect)端子になっている。このＨＤＭＩ端子１６１の１９ピンは、プルアップ抵抗１５１を介して＋５Ｖ電源に接続されている。テレビ受信機１４０がＨＤＭＩケーブル２１０を介してＤＶＤレコーダ１２０に接続されるとき、ＤＶＤレコーダ１２０から電源が供給されることから、ＨＤＭＩ端子１４１の１９ピンの電圧が高くなる。ＤＶＤレコーダ１２０の制御部１２２は、ＨＤＭＩ端子１２１の１９ピンの電圧を監視しており、当該１９ピンの電圧が高くなることにより、テレビ受信機１４０の接続を確認する。
【００３６】
図４は、図１のＡＶシステム１００における、ＤＶＤレコーダ１２０のＨＤＭＩ送信部（ＨＤＭＩソース）１２９と、テレビ受信機１４０のＨＤＭＩ受信部（ＨＤＭＩシンク）１４５の構成例を示している。
【００３７】
ＨＤＭＩ送信部１２９は、ある垂直同期信号から次の垂直同期信号までの区間（以下、適宜、「ビデオフィールド」という）から、水平ブランキング期間および垂直ブランキング期間を除いた区間である有効画像区間（以下、適宜、「アクティブビデオ区間」という）において、ベースバンド（非圧縮）の一画面分の画像データの差動信号を、複数のチャネルで、ＨＤＭＩ受信部１４５に一方向に送信する。また、ＨＤＭＩ送信部１２９は、水平ブランキング期間および垂直ブランキング期間において、画像データに付随する音声データおよび制御パケット（Control Packet）、さらにその他の補助データ等に対応する差動信号を、複数のチャネルで、ＨＤＭＩ受信部１４５に一方向に送信する。
【００３８】
ＨＤＭＩ送信部１２９は、ソース信号処理部７１およびＨＤＭＩトランスミッタ７２を有する。ソース信号処理部７１には、コーデック１２５（図２参照）から、ベースバンドの非圧縮の画像（Video）および音声（Audio）のデータが供給される。ソース信号処理部７１は、供給される画像および音声のデータに必要な処理を施し、ＨＤＭＩトランスミッタ７２に供給する。また、ソース信号処理部７１は、ＨＤＭＩトランスミッタ７２との間で、必要に応じて、制御用の情報やステータスを知らせる情報（Control/Status）等をやりとりする。
【００３９】
ＨＤＭＩトランスミッタ７２は、ソース信号処理部７１から供給される画像データを、対応する差動信号に変換し、複数のチャネルである３つのＴＭＤＳチャネル＃０，＃１，＃２で、ＨＤＭＩケーブル２１０を介して接続されているＨＤＭＩ受信部１４５に、一方向に送信する。
【００４０】
さらに、トランスミッタ７２は、ソース信号処理部７１から供給される、非圧縮の画像データに付随する音声データや制御パケットその他の補助データ（auxiliary data）と、垂直同期信号（VSYNC）、水平同期信号（HSYNC）等の制御データ（control data）とを、対応する差動信号に変換し、３つのＴＭＤＳチャネル＃０，＃１，＃２で、ＨＤＭＩケーブル２１０を介して接続されているＨＤＭＩ受信部１４５に、一方向に送信する。
【００４１】
なお、トランスミッタ７２は、３つのＴＭＤＳチャネル＃０，＃１，＃２で、送信するデータを、ＨＤＣＰ(High-bandwidth Digital Content Protection System)と呼ばれるデジタル暗号方式で暗号化して送信する。
【００４２】
また、トランスミッタ７２は、３つのＴＭＤＳチャネル＃０，＃１，＃２で送信する画像データに同期したピクセルクロックを、ＴＭＤＳクロックチャネルで、ＨＤＭＩケーブル２１０を介して接続されているＨＤＭＩ受信部１４５に送信する。
【００４３】
ＨＤＭＩ受信部１４５は、アクティブビデオ区間において、複数チャネルで、ＨＤＭＩ送信部１２９から一方向に送信されてくる、画像データに対応する差動信号を受信すると共に、水平ブランキング期間および垂直ブランキング期間において、複数のチャネルで、ＨＤＭＩ送信部１２９から送信されてくる、補助データや制御データに対応する差動信号を受信する。
【００４４】
ＨＤＭＩ受信部１４５は、ＨＤＭＩレシーバ８１およびシンク信号処理部８２を有する。ＨＤＭＩレシーバ８１は、ＴＭＤＳチャネル＃０，＃１，＃２で、ＨＤＭＩケーブル２１０を介して接続されているＨＤＭＩ送信部１２９から一方向に送信されてくる、画像データに対応する差動信号と、補助データや制御データに対応する差動信号を、同じくＨＤＭＩ送信部１２９からＴＭＤＳクロックチャネルで送信されてくるピクセルクロックに同期して受信する。
【００４５】
ＨＤＭＩレシーバ８１は、受信された差動信号を、対応する画像データ、補助データ、制御データに変換し、必要に応じて、シンク信号処理部８２に供給する。なお、上述したように、ＨＤＭＩ送信部１２９から３つのＴＭＤＳチャネル＃０，＃１，＃２で送信されてくるデータは暗号化されているので、ＨＤＭＩレシーバ８１は、受信データの復号化処理も行う。
【００４６】
シンク信号処理部８２は、ＨＤＭＩレシーバ８１から供給されるデータに必要な処理を施し、切り替え器１４８（図３参照）に供給する。その他、シンク信号処理部８２は、ＨＤＭＩレシーバ８１との間で、必要に応じて、制御用の情報やステータスを知らせる情報（Control/Status）等をやりとりする。
【００４７】
ＨＤＭＩの伝送チャネルには、ＨＤＭＩ送信部１２９からＨＤＭＩ受信部１４５に対して、画像データ、補助データ、および制御データを、ピクセルクロックに同期して、一方向にシリアル伝送するための３つのＴＭＤＳチャネル＃０，＃１，＃２と、ピクセルクロックを伝送する伝送チャネルとしてのＴＭＤＳクロックチャネルとの他に、ＤＤＣ(Display Data Channel)８３、さらには、ＣＥＣライン８４と呼ばれる伝送チャネルがある。
【００４８】
ＤＤＣ８３は、ＨＤＭＩケーブル２１０に含まれる図示しない２本のライン（信号線）からなり、ＤＶＤレコーダ１２０が、ＨＤＭＩケーブル２１０を介して接続されたテレビ受信機１４０のフラッシュＲＯＭ１４２から、ＥＤＩＤ(Extended Display Identification)情報を読み出すために使用される。ＤＶＤレコーダ１２０の制御部１２２は、当該ＥＤＩＤ情報に基づいて、テレビ受信機１４０の設定、性能を認識する。
【００４９】
また、ＤＤＣ８３は、ＨＤＣＰの認証動作を行うために使用される。ＤＤＣ８３を介してＨＤＣＰ認証に必要な情報が伝送され、ＤＶＤレコーダ１２０は、テレビ受信機１４０が不正な機器ではないことを認証した後に、暗号化伝送が可能となる。
【００５０】
ＣＥＣライン８４は、ＨＤＭＩケーブル２１０に含まれる図示しない１本のラインからなり、ＤＶＤレコーダ１２０とテレビ受信機１４０との間で、制御用のデータの双方向通信を行うために用いられる。
【００５１】
また、ＨＤＭＩケーブル２１０には、ＨＰＤ(Hot Plug Detect)と呼ばれるピンに接続されるライン８６が含まれている。ＤＶＤレコーダ１２０は、当該ライン８６を利用して、テレビ受信機１４０の接続を検出することができる。また、ＨＤＭＩケーブル２１０には、ＤＶＤレコーダ１２０からテレビ受信機１４０に電源を供給するために用いられるライン８７が含まれている。
【００５２】
図５は、ＨＤＭＩの３つのＴＭＤＳチャネル＃０，＃１，＃２で各種の伝送データが伝送される伝送区間（期間）の例を示している。なお、図５は、ＴＭＤＳチャネル＃０，＃１，＃２において、横×縦が７２０×４８０画素のプログレッシブの画像が伝送される場合の、各種の伝送データの区間を示している。
【００５３】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００５４】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００５５】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００５６】
データアイランド区間およびコントロール区間は、水平ブランキング期間および垂直ブランキング期間に割り当てられる。このデータアイランド区間およびコントロール区間では、補助データ（Auxiliary data）が伝送される。
【００５７】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００５８】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００５９】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００６０】
図６は、ＨＤＭＩ端子１２１，１４１，１４２，１６１のピン配列を示している。このピン配列はタイプＡ（type-A）と呼ばれている。
【００６１】
ＴＭＤＳチャネル＃ｉの差動信号であるTMDS Data#i+とTMDS Data#i-が伝送される差動線である２本のラインは、TMDS Data#i+が割り当てられているピン（ピン番号が１，４，７のピン）と、TMDSData#i-が割り当てられているピン（ピン番号が３，６，９のピン）に接続される。
【００６２】
また、制御用のデータであるＣＥＣ信号が伝送されるＣＥＣライン８４は、ピン番号が１３であるピンに接続され、ピン番号が１４のピンは空き（Reserved）ピンとなっている。また、ＥＤＩＤ情報等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００６３】
また、上述したようにソース機器１１０がシンク機器１２０の接続を検出するためのライン８６は、ピン番号が１９であるピンに接続される。また、上述したように電源を供給するためのライン８７は、ピン番号が１８であるピンに接続される。
【００６４】
図１に示すＡＶシステム１００の動作例を説明する。
【００６５】
まず、ＤＶＤレコーダ１２０にＨＤＭＩケーブル２１０を介してテレビ受信機１４０が接続されるシステム構成時の動作例を説明する。
【００６６】
このとき、ＨＤＭＩケーブル２１０のライン８７（図４参照）を通じて、ＤＶＤレコーダ１２０からテレビ受信機１４０に電源が供給される。そのため、テレビ受信機１４０のＨＤＭＩ端子１４１における１９ピンの電圧が高くなり、ＤＶＤレコーダ１２０のＨＤＭＩ端子１２１における１９ピンの電圧も高くなる。
【００６７】
ＤＶＤレコーダ１２０の制御部１２２は、ＨＤＭＩ端子１２１における１９ピンの電圧を監視しており、当該電圧が高くなることで、ＤＶＤレコーダ１２０にＨＤＭＩケーブル２１０を介してテレビ受信機１４０が接続されたことを認識する。そして、制御部１２２は、ＨＤＭＩケーブル２１０のＤＤＣ８３を用いて、テレビ受信機１４０のフラッシュＲＯＭ１４３に記憶されているＥＤＩＤ情報を読み出し、テレビ受信機１４０の設定、性能を認識する。
【００６８】
次に、システム構成後の動作例を説明する。
【００６９】
例えば、ＤＶＤレコーダ１２０（図２参照）の端子１２６に外部装置が接続された状態で、ユーザが、外部装置からのデータを記録するようにＤＶＤレコーダ１２０を操作すると、コーデック１２５により外部装置からの画像と音声のデータがエンコードされ、エンコードデータは記録再生部１２７によりＤＶＤ１２８に記録される。
【００７０】
また、ユーザが、ＤＶＤ１２８に記録されているデータを送信するようにＤＶＤレコーダ１２０を操作すると、記録再生部１２７により、ＤＶＤ１２８からエンコードデータが再生され、コーデック１２５に供給される。コーデック１２５では、記録再生部１２７で再生されたエンコードデータが、ベースバンドの画像と音声のデータにデコードされ、そのベースバンドの画像と音声のデータは、ＨＤＭＩ送信部１２９に供給される。
【００７１】
ＨＤＭＩ送信部１２９では、ＨＤＭＩに準拠した通信により、コーデック１２５から供給されるベースバンドの画像と音声データが、ＨＤＭＩケーブル２１０を介して、テレビ受信機１４０に、一方向に、送信される。
【００７２】
テレビ受信機１４０（図３参照）では、ＨＤＭＩ受信部１４５で、ＨＤＭＩに準拠した通信により、ＤＶＤレコーダ１２０のＨＤＭＩ送信部１２９からＨＤＭＩケーブル２１０を介して一方向に送信されてくるベースバンドの画像と音声のデータが受信される。
【００７３】
ＨＤＭＩ受信部１４５で受信された画像データは切り替え器１４８を介して表示処理部１４９に供給される。表示処理部１４９では、制御部１４３の制御のもと、画像データに対して、色調整、輪郭強調、グラフィックスデータの重畳等の処理が行われる。そして、表示パネル１５０には、表示処理部１４９から供給される画像データによる画像が表示される。
【００７４】
また、ＨＤＭＩ受信部１４５で受信された音声データは、図示しない音声データ用の切り替え器から取り出され、アナログ信号に変換された後にスピーカに供給される。そして、このスピーカから、表示パネル１５０に表示された画像に対応した音声が出力される。
【００７５】
ここで、テレビ受信機１４０において、ＤＶＤレコーダ１２０から送信されてくる画像データによる画像を表示する場合における、画像表示の開始タイミングについて説明する。
【００７６】
制御部１４３は、ＲＡＭ等の内蔵メモリ１４３ａに、画像データ（映像信号）が受信されてから画像表示を開始するまでの時間の基準となる基準時間を保持している。制御部１４３は、ＤＶＤレコーダ１２０から画像データの受信を開始する場合、画像データの受信開始時点から、上述した内蔵メモリ１４３ａに保持されている基準時間を経過した後に、表示処理部１４９を制御してミュートオフとし、表示パネル１５０への画像表示を開始させる。この意味で、制御部１４３は、表示制御部を構成している。
【００７７】
図７は、信号タイミングの一例を示している。図７（ｂ）は、画像データ（映像信号）の受信状態を示し、画像データが受信されている期間に斜線を付して示している。制御部１４３は、ＨＤＭＩ受信部１４５で同期信号（水平同期信号、垂直同期信号）が受信されるとき、画像データが受信されていると判断する。
【００７８】
図７（ｃ）は、解像度の安定状態を示し、解像度が安定している期間に斜線を付して示している。制御部１４３は、水平、垂直の解像度が安定した状態において、水平同期信号をカウントして水平解像度を認識し、同様に、垂直同期信号をカウントして垂直解像度を認識し、フォーマットを確定する。
【００７９】
図７（ｄ）は、ＨＤＣＰの認証状態を示し、認証後の期間に斜線を付して示している。制御部１４３は、ＤＤＣ(Display Data Channel)を通して、ＤＶＤレコーダ１２０で認証されたことを知る。図７(ｅ)は、カラースペース（色空間）の検出状態を示し、検出されている期間に斜線を付して示している。制御部１４３は、カラースペース情報を、映像信号のブランキング期間に挿入されたＡＶＩ(Auxiliary Video Information)InfoFrameから検出する。
【００８０】
図７（ａ）は、表示パネル１５０の出画状態を示し、出画オンの期間に斜線を付して示している。画像データの受信が開始された時点ｔ11から基準時間ＴＳだけ経過した後の時点ｔ19でミュートオフとなり、出画オンの状態となる。この場合、時点ｔ19は、画像データの途切れタイミング(ｔ15）、フォーマット確定のタイミング(ｔ13，ｔ17）情報、ＨＤＣＰの認証タイミング(ｔ14)、カラースペースの変化タイミング(ｔ12，ｔ18)よりも後の時点となる。そのため、表示パネル１５０に表示される画像には、画像データの途切れによる画像乱れはなく、また、ＨＤＣＰ認証後の水平、垂直の解像度の切り換えによる画像乱れはなく、さらに、カラースペースの変化による画像乱れもない。
【００８１】
なお、テレビ受信機１４０の制御部１４３は、上述した画像データの受信に関連して、表示パネル１５０に表示される画像に影響を与えるタイミング情報を取得する。例えば、制御部１４３は、画像データの受信が開始された時点ｔ11から画像データの途切れタイミングまでの時間情報、画像データの受信が開始された時点ｔ11からフォーマット確定タイミングまでの時間情報、画像データの受信が開始された時点ｔ11からＨＤＣＰの認証タイミングまでの時間情報、さらには、画像データの受信が開始された時点ｔ11からカラースペースの変化タイミングまでの時間情報を取得する。この意味で、制御部１４３は、タイミング情報取得部を構成している。
【００８２】
また、制御部１４３は、取得したタイミング情報に基づいて、内蔵メモリ１４３ａに保持されている基準時間ＴＳを調整する。この場合、内蔵メモリ１４３ａに保持されている基準時間ＴＳは、タイミング情報として取得された各時間情報が表す時間のうち最も長い時間より一定時間だけ長い時間に更新される。この意味で、制御部１４３は、基準時間調整部を構成している。内蔵メモリ１４３ａに保持されている、調整された基準時間ＴＳは、次の、画像データ受信時に、使用される。
【００８３】
図８のフローチャートは、制御部１４３における表示制御処理、および基準時間調整処理を示している。
【００８４】
まず、制御部１４３は、ステップＳＴ１において、処理を開始する。例えば、制御部１４３は、テレビ受信機１４０がＨＤＭＩケーブル２１０を介してＤＶＤレコーダ１２０に接続されたとき、処理を開始する。そして、制御部１４３は、ステップＳＴ２において、内蔵メモリ１４３ａに、基準時間ＴＳとして初期値ＴＡを保持する。
【００８５】
なお、制御部１４３は、テレビ受信機１４０に接続される各電子機器の初期値ＴＡを備え、ユーザの指示、あるいは接続された電子機器を自動的に判別し、当該接続された電子機器に対応した初期値ＴＡを用いるようにしてもよい。この場合、上述したようにＤＶＤレコーダ１２０が接続される場合には、当該ＤＶＤレコーダ１２０に対応した初期値が用いられる。また、制御部１４３は、この初期値ＴＡを、接続された電子機器から取得して用いるようにしてもよい。
【００８６】
次に、制御部１４３は、ステップＳＴ３において、表示処理部１４９を制御して、ミュートオンとする。ミュートオンの状態では、表示パネル１５０に画像は表示されない。そして、制御部１４３は、ステップＳＴ４において、画像データ（映像信号）を受信したか否かを判定する。
【００８７】
画像データを受信したとき、制御部１４３は、ステップＳＴ５において、タイマをスタートし、ステップＳＴ６において、タイミング情報の取得を開始する。そして、制御部１４３は、ステップＳＴ７において、画像データのフォーマットを判別し、ステップＳＴ８において、その判別結果に基づいて表示処理をする。
【００８８】
次に、制御部１４３は、ステップＳＴ９において、タイマ時間ＴＭが、内蔵メモリ１４３ａに保持されている基準時間ＴＳより大きいか否かを判定する。ＴＭ＞ＴＳでないとき、制御部１４３は、ステップＳＴ７の処理に戻る。一方、ＴＭ＞ＴＳであるとき、制御部１４３は、ステップＳＴ１０において、表示処理部１４９を制御して、ミュートオフとする。これにより、表示パネル１５０に画像が表示される、出画状態となる。
【００８９】
次に、制御部１４３は、ステップＳＴ１１において、取得されたタイミング情報に基づいて、更新時間ＴＢを生成する。この更新時間ＴＢは、上述したように、タイミング情報として取得された各時間情報が表す時間のうち最も長い時間に、さらに一定時間を付加したものとされる。そして、制御部１４３は、ステップＳＴ１１において、内蔵メモリ１４３ａに保持されている基準時間ＴＳを、更新時間ＴＢに更新する。
【００９０】
次に、制御部１４３は、ステップＳＴ１２において、画像データの受信が停止したか否かを判定する。画像データの受信の停止は、例えば、ＤＶＤレコーダ１２０で、所定のコンテンツの再生が終了した場合等に発生する。画像データの受信が停止したとき、制御部１４３は、ステップＳＴ３に戻り、表示処理部１４９を制御して、ミュートオンとし、次の画像データの受信に備える。
【００９１】
以上説明したように、図１に示すＡＶシステム１００において、テレビ受信機１４０では、ＤＶＤレコーダ１２０から送信されてくる画像データによる画像を表示する場合、画像データ（映像信号）の受信に関連して取得される画像表示に影響を与えるタイミング情報に基づいて、画像データが受信されてから画像表示を開始するまでの時間の基準となる基準時間ＴＳが調整し、この基準時間ＴＳに基づいて表示パネル１５０の画像表示の開始タイミングが制御される。そのため、画像が表示されるまでの時間をあまり長くすることなく、乱れた画像が表示されることを良好に回避できる。
【００９２】
なお、上述の実施の形態では、内蔵メモリ１４３ａに保持されている基準時間ＴＳを、取得されたタイミング情報に基づいて生成された更新時間ＴＢに更新するものであり、内蔵メモリ１４３ａには、基準時間ＴＳとなる１つの値だけが保持されている。そのため、各回生成の更新時間ＴＢがばらつく場合には、乱れた画像が表示されることを回避するという効果が薄れ、精度も低下する。そこで、ばらついた更新時間ＴＢを、ある程度の範囲で括ってグループ分けし、内蔵メモリ１４３ａに、グループ毎に基準時間ＴＳとすべき値を保持しておくことが考えられる。
【００９３】
図９は、グループ分けおよび基準時間決定のアルゴリズムを説明するための図である。ここでは、更新時間ＴＢが、３．１秒→２．８秒→３．２秒→４．２秒→３．８秒→４．６秒→３．５秒の順序で生成（測定）された場合を例にとって説明する。
【００９４】
(ａ)最初の更新時間ＴＢは３．１秒である。この３．１秒は１つめのグループを構成するものとする。この場合、内蔵メモリ１４３ａには、この１つめのグループの上限値（３．１秒）および下限値（３．１秒）が保持され、次回に使用される基準時間ＴＳは３．１秒に調整される。
【００９５】
（ｂ）次の更新時間ＴＢは２．８秒である。この２．８秒は、１つめのグループの範囲に対して０．５秒以上離れていないので、１つめのグループを構成するものとする。この場合、内蔵メモリ１４３ａには、この１つめのグループの上限値（３．１秒）および下限値（２．８秒）が保持され、次回に使用される基準時間ＴＳは３．１秒とされる。
【００９６】
（ｃ）次の更新時間ＴＢは３．２秒である。この３．２秒は、１つめのグループの範囲に対して０．５秒以上離れていないので、１つめのグループを構成するものとする。この場合、内蔵メモリ１４３ａには、この１つめのグループの上限値（３．２秒）および下限値（２．８秒）が保持され、次回に使用される基準時間ＴＳは３．２秒とされる。
【００９７】
（ｄ）次の更新時間ＴＢは４．２秒である。この４．２秒は、１つめのグループの範囲に対して０．５秒以上離れているので、２つめのグループを構成するものとする。この場合、内蔵メモリ１４３ａには、１つめのグループの上限値（３．２秒）および下限値（２．８秒）が保持されると共に、２つめのグループの上限値（４．２秒）および下限値（４．２秒）が保持され、次回に使用される基準時間ＴＳは４．２秒とされる。
【００９８】
（ｅ）次の更新時間ＴＢは３．８秒である。この３．８秒は１つめのグループの範囲に対して０．５秒以上離れていると共に、２つめのグループの範囲に対して０．５秒以上離れていないので、２つめのグループを構成するものとする。この場合、内蔵メモリ１４３ａには、１つめのグループの上限値（３．２秒）および下限値（２．８秒）が保持されると共に、２つめのグループの上限値（４．２秒）および下限値（３．８秒）が保持され、次回に使用される基準時間ＴＳは４．２秒とされる。
【００９９】
（ｆ）次の更新時間ＴＢは４．６秒である。この４．６秒は１つめのグループの範囲に対して０．５秒以上離れていると共に、２つめのグループの範囲に対して０．５秒以上離れていないので、２つめのグループを構成するものとする。この場合、内蔵メモリ１４３ａには、１つめのグループの上限値（３．２秒）および下限値（２．８秒）が保持されると共に、２つめのグループの上限値（４．６秒）および下限値（３．８秒）が保持され、次回に使用される基準時間ＴＳは４．６秒とされる。
【０１００】
（ｇ）次の更新時間ＴＢは３．５秒である。この３．５秒は１つめのグループの範囲に対して０．５秒以上離れていないと共に、２つめのグループの範囲に対して０．５秒以上離れていないので、１つめのグループと２つめのグループを統合して、新たな１つめのグループを構成するものとする。この場合、内蔵メモリ１４３ａには、新たな１つめのグループの上限値（４．６秒）および下限値（２．８秒）が保持され、次回に使用される基準時間ＴＳは４．６秒とされる。
【０１０１】
以下、新たな更新時間ＴＢが生成される毎に、上述したアルゴリズムによりグループ分けが行われ、内蔵メモリ１４３ａには、各グループの上限値および下限値が保持され、次回に使用される基準時間ＴＳは新たな更新時間ＴＢが含まれるグループの上限値とされる。
【０１０２】
上述したようにして次回に使用する基準時間ＴＳを調整するものにあっては、図８のフローチャートにおけるステップＳＴ１１の処理だけが変更されることになる。なお、図９に示したアルゴリズムでグループ分けを行うことで、グループ分けが単純になり、計算量も少なく、保持する値も少ないというメリットがある。
【０１０３】
また、上述の実施の形態では、内蔵メモリ１４３ａに保持されている基準時間ＴＳを、取得されたタイミング情報に基づいて生成された更新時間ＴＢに更新することで、基準時間ＴＳを調整するものを示した（図８のステップＳＴ１１の説明参照）。図１０（ａ）は、その場合における基準時間ＴＳの推移例を示している。ここで、括弧外の値は生成された更新時間ＴＢを示し、括弧内の値は、括弧外の更新時間ＴＢが生成された場合に、内蔵メモリ１４３ａに保持される基準時間ＴＳを示している。「１０秒」は初期値である。このことは、後述する図１０（ｂ），（ｃ）においても同様である。
【０１０４】
これに対して、内蔵メモリ１４３ａに保持されている基準時間ＴＳを、取得されたタイミング情報に基づいて生成された更新時間ＴＢに常に更新するのではなく、生成された更新時間ＴＢが、いままでの最大値の場合には更新し、それ以外の場合には更新しないようにすることで、基準時間ＴＳを調整することも考えられる。図１０（ｂ）は、その場合における基準時間ＴＳの推移例を示している。例えば、生成された更新時間ＴＢが４．２秒のとき、当該４．２秒はいままでの最大値ではないので、内蔵メモリ１４３ａに保持されている基準時間ＴＳは、４．８秒のままにおかれる。この調整例では、内蔵メモリ１４３ａに保持されている基準時間ＴＳを、生成された更新値ＴＢの最大値に保持しておくことができ、基準時間ＴＳが偶発的に短くなって、乱れた画像が表示されるということを回避できる。
【０１０５】
また、内蔵メモリ１４３ａに保持されている基準時間ＴＳを、取得されたタイミング情報に基づいて生成された更新時間ＴＢに常に更新するのではなく、生成された更新時間ＴＢが、内蔵メモリ１４３ａに保持されている基準時間ＴＳに対して許容範囲（例えば、±０．５秒）以内であれば更新せず、それ以外の場合には更新することで、基準時間ＴＳを調整することも考えられる。図１０（ｃ）は、その場合における基準時間ＴＳの推移例を示している。例えば、内蔵メモリ１４３ａに保持されている基準時間ＴＳが４．８秒で、生成された更新時間ＴＢが４．４秒のときは、当該４．４秒が許容範囲以内にあるので、内蔵メモリ１４３ａに保持されている基準時間ＴＳは、更新されずに４．８秒のままにおかれる。一方、内蔵メモリ１４３ａに保持されている基準時間ＴＳが４．８秒で、生成された更新時間ＴＢが３．８秒のときは、当該３．８秒が許容範囲以内にないので、内蔵メモリ１４３ａに保持されている基準時間ＴＳは、３．８秒に更新される。この調整例では、内蔵メモリ１４３ａに保持されている基準時間ＴＳが細かく変化することを防止できる。
【０１０６】
また、上述実施の形態において、テレビ受信機１４０では、ＤＶＤレコーダ１２０から送信されてくる画像データによる画像を表示する場合、画像データの受信を開始した後、画像表示に影響を与えるタイミング情報に基づいて調整された基準時間を経過してから、画像表示が開始されるため、乱れた画像の表示を良好に回避できる。
【０１０７】
しかし、乱れた画像の表示が回避される代わりに、画像表示が開始されるまでの時間が長くなる。そこで、タイミング情報に基づいて調整された基準時間を用いる「きれい」モードと、比較的短い固定の基準時間を用いる「はやい」モードとを設け、ユーザがモード設定を行えるようにしてもよい。ここで、「きれい」モードは第１の出画モードを構成し、「はやい」モードは第２の出画モードを構成している。
【０１０８】
図１１は、ユーザがモード設定を行う際に、表示パネル１５０に表示されるユーザインタフェース画面である。ユーザは、このユーザインタフェース画面を用いて、「はやい」モードまたは「きれい」モードに設定できる。
【０１０９】
図１２のフローチャートは、「きれい」モードまたは「はやい」モードに設定が可能な場合における、制御部１４３の表示制御処理、および基準時間調整処理を示している。
【０１１０】
まず、制御部１４３は、ステップＳＴ２１において、処理を開始する。例えば、制御部１４３は、テレビ受信機１４０がＨＤＭＩケーブル２１０を介してＤＶＤレコーダ１２０に接続されたとき、処理を開始する。そして、制御部１４３は、ステップＳＴ２２において、「きれい」モードに設定されているか否かを判定する。「きれい」モードに設定されているときは、ステップＳＴ２３において、「きれい」モードの処理Ａを行う。詳細説明は省略するが、この処理Ａは、上述した図８のフローチャートにおける、ステップＳＴ２〜ステップＳＴ１２の処理と同じである。
【０１１１】
一方、「きれい」モードに設定されていないとき、つまり、「はやい」モードに設定されているとき、制御部１４３は、「はやい」モードの処理Ｂを行うために、ステップＳＴ２４に移る。
【０１１２】
このステップＳＴ２４において、制御部１４３は、内蔵メモリ１４３ａに、基準時間ＴＳとして初期値ＴＡ′を保持する。この初期値ＴＡ′は、「きれい」モードより、表示開始がはやくなるように、比較的短い値とされる。そして、制御部１４３は、ステップＳＴ２５において、表示処理部１４９を制御して、ミュートオンとする。ミュートオンの状態では、表示パネル１５０に画像は表示されない。
【０１１３】
次に、制御部１４３は、ステップＳＴ２６において、画像データ（映像信号）を受信したか否かを判定する。画像データを受信したとき、制御部１４３は、ステップＳＴ２７において、タイマをスタートする。そして、制御部１４３は、ステップＳＴ２８において、画像データのフォーマットを判別し、ステップＳＴ２９において、その判別結果に基づいて表示処理をする。
【０１１４】
次に、制御部１４３は、ステップＳＴ３０において、タイマ時間ＴＭが、内蔵メモリ１４３ａに保持されている基準時間ＴＳより大きいか否かを判定する。ＴＭ＞ＴＳでないとき、制御部１４３は、ステップＳＴ２７の処理に戻る。一方、ＴＭ＞ＴＳであるとき、制御部１４３は、ステップＳＴ３１において、表示処理部１４９を制御して、ミュートオフとする。これにより、表示パネル１５０に画像が表示される、出画状態となる。
【０１１５】
次に、制御部１４３は、ステップＳＴ３２において、画像データの受信が停止したか否かを判定する。画像データの受信の停止は、例えば、ＤＶＤレコーダ１２０で、所定のコンテンツの再生が終了した場合等に発生する。画像データの受信が停止したとき、制御部１４３は、ステップＳＴ２５に戻り、表示処理部１４９を制御して、ミュートオンとし、次の画像データの受信に備える。
【０１１６】
上述したように、「きれい」モードと「はやい」モードとを選択的に設定できるものにあっては、「きれい」モードに設定されることで、画像表示の開始が遅くなるが、乱れた画像の表示を良好に回避でき、一方、「はやい」モードに設定されることで、乱れた画像が表示される可能性があるが、画像表示の開始をはやくできる。
【０１１７】
また、上述実施の形態において、テレビ受信機１４０では、ＤＶＤレコーダ１２０から送信されてくる画像データによる画像を表示する場合、画像表示の開始が、タイミング情報に基づいて調整された基準時間だけを用いて制御されている。しかし、当該基準時間の他に、さらにフォーマット確定の判定出力に基づいて、画像表示の開始タイミングを制御するようにしてもよい。
【０１１８】
この場合、制御部１４３は、上述したように、水平、垂直の解像度が安定した状態において、水平同期信号をカウントして水平解像度を認識し、同様に、垂直同期信号をカウントして垂直解像度を認識し、フォーマットを確定する。制御部１４３は、このようにフォーマットを確定してから、画像データの受信が停止するまで、フォーマット確定状態にあると判定する。この意味で、制御部１４３は、フォーマット確定判定部を構成している。
【０１１９】
図１３のフローチャートは、基準時間の他にフォーマット確定の判定出力に基づいて画像表示の開始タイミングを制御する場合における、制御部１４３の表示制御処理、および基準時間調整処理を示している。この図１３のフローチャートにおいて、図８と対応するステップには同一符号を付して示している。
【０１２０】
制御部１４３は、ステップＳＴ９でＴＭ＞ＴＳであるとき、ステップＳＴ１３において、フォーマット確定状態にあるか否かを判定する。フォーマット確定状態にないときは、ステップＳＴ７の処理に戻る。一方、フォーマット確定状態にあるとき、制御部１４３は、ステップＳＴ１０において、表示処理部１４９を制御して、ミュートオフとする。これにより、表示パネル１５０に画像が表示される、出画状態となる。
【０１２１】
詳細説明は省略するが、図１３のフローチャートにおけるその他は、図８に示すフローチャートと同様である。
【０１２２】
上述したように、タイミング情報に基づいて調整された基準時間の他に、さらにフォーマット確定の判定出力に基づいて画像表示の開始タイミングを制御するものにあっては、基準時間調整部で調整された基準時間が経過しても、フォーマットが確定状態にない場合、フォーマットが確定するまで画像が表示されないので、乱れた画像が表示されることを抑制できる。
【０１２３】
図１４は、信号タイミングの一例を示している。図１４（ｂ）は、画像データ（映像信号）の受信状態を示し、画像データが受信されている期間に斜線を付して示している。制御部１４３は、ＨＤＭＩ受信部１４５で同期信号（水平同期信号、垂直同期信号）が受信されるとき、画像データが受信されていると判断する。
【０１２４】
図１４（ｃ）は、解像度の安定状態を示し、解像度が安定している期間に斜線を付して示している。制御部１４３は、水平、垂直の解像度が安定した状態において、水平同期信号をカウントして水平解像度を認識し、同様に、垂直同期信号をカウントして垂直解像度を認識し、フォーマットを確定する。制御部１４３は、このようにフォーマットを確定してから、画像データの受信が停止するまで、フォーマット確定状態にあると判定する。すなわち、フォーマットが確定した時点ｔ22から画像データの受信が停止する時点ｔ23まで、さらに再びフォーマットが確定した時点ｔ25以降は、フォーマット確定状態と判定される。
【０１２５】
図１４（ｄ）は、ＨＤＣＰの認証状態を示し、認証後の期間に斜線を付して示している。制御部１４３は、ＤＤＣ(Display Data Channel)を通して、ＤＶＤレコーダ１２０で認証されたことを知る。図１４(ｅ)は、カラースペース（色空間）の検出状態を示し、検出されている期間に斜線を付して示している。制御部１４３は、カラースペース情報を、映像信号のブランキング期間に挿入されたＡＶＩ(Auxiliary Video Information)InfoFrameから検出する。
【０１２６】
図１４（ａ）は、表示パネル１５０の出画状態を示し、出画オンの期間に斜線を付して示している。画像データの受信が開始された時点ｔ21から基準時間ＴＳだけ経過した時点ｔ24では、フォーマット確定状態にないことから、ミュートオフとなることはなく、その後に、フォーマット確定状態となる時点ｔ25でミュートオフとなり、出力オンの状態となる。
【０１２７】
このように基準時間ＴＳの他にフォーマット確定状態にあるか否かの判定出力を用いることで、基準時間ＴＳが経過しても、フォーマットが確定状態にない場合、フォーマットが確定するまで画像が表示されないので、時点ｔ24から時点ｔ25までの間、乱れた画像が表示されることを抑制できる。
【０１２８】
なお、ＨＤＭＩの信号切り替えでは、無信号の後、ＨＤＣＰの認証動作が入ると、画像がミュートしている時間が長くなる場合がある。その間、画像が表示されないため、ユーザにとっては不安となる。テレビ受信機１４０の制御部１４３は、認証動作が行われていることがわかるので、そのタイミングで、表示パネル１５０に、“認証中です。”あるいは“ＨＤＣＰ認証中”等の警告表示を行うことで、ユーザの不安を解消できる。図１５(ａ)は、警告表示を行わない場合の画像表示の推移例を示し、図１５（ｂ）は、警告表示を行う場合の画像表示の推移例を示している。
【０１２９】
なお、上述実施の形態においては、電子機器間の通信インタフェースとしてＨＤＭＩを用いたものを示したが、ＨＤＭＩ以外の通信インタフェースを用いるものにも、この発明を同様に適用できる。また、上述実施の形態においては、電子機器間をＨＤＭＩケーブルで接続したものを示したが、電子機器間の接続を無線で行うものにも、この発明を同様に適用できる。
【産業上の利用可能性】
【０１３０】
この発明は、画像が表示されるまでの時間をあまり長くすることなく、乱れた画像が表示されることを良好に回避できるものであり、ＡＶソースとテレビ受信機、プロジェクタ、その他のディスプレイとをＨＤＭＩインタフェースを用いて接続してなるＡＶシステム等に適用できる。
【図面の簡単な説明】
【０１３１】
【図１】この発明の実施の形態としてのＡＶシステムの構成例を示すブロック図である。
【図２】ＡＶシステムを構成するＤＶＤレコーダ（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ＴＭＤＳ伝送データの構造を示す図である。
【図６】ＨＤＭＩ端子のピン配列（タイプＡ）を示す図である。
【図７】テレビ受信機における信号タイミングの一例を示す図である。
【図８】テレビ受信機の制御部における表示制御処理、および基準時間調整処理を示すフローチャートである。
【図９】グループ分けおよび基準時間決定のアルゴリズムを説明するための図である。
【図１０】基準時間ＴＳの他の調整例を説明するための図である。
【図１１】ユーザがモード設定を行う際に、表示パネルに表示されるユーザインタフェース画面を示す図である。
【図１２】「きれい」モードまたは「はやい」モードに設定が可能な場合における、テレビ受信機の制御部の表示制御処理、および基準時間調整処理を示すフローチャートである。
【図１３】基準時間の他にフォーマット確定の判定出力に基づいて画像表示の開始タイミングを制御する場合における、テレビ受信機の制御部の表示制御処理、および基準時間調整処理を示すフローチャートである。
【図１４】テレビ受信機における信号タイミングの一例を示す図である。
【図１５】認証動作が行われていることを示す警告表示を行わない場合、および行う場合の画像表示の推移例を示す図である。
【図１６】従来のテレビ受信機における信号タイミングの一例を示す図である。
【符号の説明】
【０１３２】
１００・・・ＡＶシステム、１２０・・・ＤＶＤレコーダ、１２１・・・ＨＤＭＩ端子、１２２・・・制御部、１２３・・・ユーザ操作部、１２４・・・表示部、１２５・・・コーデック、１２６・・・外部装置を接続するための端子、１２７・・・記録再生部、１２８・・・ＤＶＤ、１２９・・・ＨＤＭＩ送信部（ＨＤＭＩソース）、１４０・・・テレビ受信機、１４１・・・ＨＤＭＩ端子、１４２・・・フラッシュＲＯＭ、１４３・・・制御部、１４３ａ・・・内蔵メモリ、１４４・・・ユーザ操作部、１４５・・・ＨＤＭＩ受信部（ＨＤＭＩシンク）、１４６・・・チューナ、１４７・・・アンテナ端子、１４８・・・切り替え器、１４９・・・表示処理部、１５０・・・表示パネル、１５１・・・プルアップ抵抗、２１０・・・ＨＤＭＩケーブル
【図１】
2009077192.tif 000003
【図２】
2009077192.tif 000004
【図３】
2009077192.tif 000005
【図４】
2009077192.tif 000006
【図５】
2009077192.tif 000007
【図６】
2009077192.tif 000008
【図７】
2009077192.tif 000009
【図８】
2009077192.tif 000010
【図９】
2009077192.tif 000011
【図１０】
2009077192.tif 000012
【図１１】
2009077192.tif 000013
【図１２】
2009077192.tif 000014
【図１３】
2009077192.tif 000015
【図１４】
2009077192.tif 000016
【図１５】
2009077192.tif 000017
【図１６】
2009077192.tif 000018